(57)【特許請求の範囲】
【請求項１】
移動通信システム内のユーザ装置で使用される方法であって、
フレームの同期はずれの可能性を経験しているが、同期はずれに到らない干渉状態である可能性を有するダウンリンクチャネルの該干渉状態を、送信電力の増強によって解消するために、ダウンリンク上の送信電力を制御する電力制御命令をアップリンクを介してユーザ装置から基地トランシーバ局に送信（４４）し、および
一斉送信チャネルが、選択されたレベルの干渉を経験していないと判断される場合は、前記干渉問題が解消されないとき、第１の選択された期間の後にアップリンクを停止し、選択されたレベルの干渉を経験していると判断される場合は、前記干渉問題を解消するべく、前記第１の選択された期間より長い第２の選択された期間まで前記電力制御命令の送信を延長し、その後にアップリンクを停止する（５４）ことを特徴とする方法。
【請求項２】
移動通信システム内で使用されるユーザ装置であって、
フレームの同期はずれの可能性を経験しているが、同期はずれに到らない干渉状態である可能性を有するダウンリンク（ＤＬ）チャネルの該干渉状態を、送信電力の増強によって解消するために、ダウンリンク上の送信電力を制御する電力制御命令（ＴＰＣ）をアップリンクを介してユーザ装置から基地トランシーバ局に送信する手段（１１８）、および
一斉送信チャネルが、選択されたレベルの干渉を経験していないと判断される場合は、前記干渉問題が解消されないとき、第１の選択された期間の後にアップリンクを停止し、選択されたレベルの干渉を経験していると判断される場合は、前記干渉問題を解消するべく、第２の選択された期間まで前記電力制御命令の送信を延長し、その後にアップリンクを停止する手段（１５３）を特徴とするユーザ装置。
【請求項３】
適切な機能を示す干渉の大きさを有する共通チャネルダウンリンク信号（１５８）に応えて、共通チャネルダウンリンク健全性信号（１５４）を提供する工程をさらに備え、
アップリンク停止コマンド信号（１５２）も共通チャネル健全性信号（１５４）に反応する、移動電気通信システム内でユーザ装置（ＵＥ）が使用するための請求項１記載の方法。
【請求項４】
前記ダウンリンクチャネルの同期はずれの可能性を示す前記信号（１３８）に応えて、前記ダウンリンクチャネル上での電力の増強のためにＵＥからＢＳＴへアップリンク電力コマンド信号（１２０）を提供する工程とをさらに備える請求項３記載の方法。
【請求項５】
ダウンリンクチャネルの同期はずれの可能性を示す信号（１３８）を提供する前記工程が、
それを示す大きさを有する検出された信号を提供するために、ダウンリンクチャネルの前記同期はずれの可能性を示す大きさを有する前記パラメータ信号（１２６）を検出する工程と、
ダウンリンクチャネルの同期はずれの可能性を示す前記信号（１３８）を提供するために、選択されたスレッショルドを示す大きさを有するパラメータスレッショルド信号（１３４）に、前記検出された信号（１３２）の前記大きさを比較する工程と、
を備える請求項３記載の方法。
【請求項６】
前記健全性信号（１５４）を提供する前記工程が、
検出された共通チャネルダウンリンク信号（１６２）を提供するために前記共通チャネルダウンリンク信号（１５８）を検出する工程と、
前記共通チャネル健全性信号（１５４）を提供するためにスレッショルド信号（１６６）に前記検出された共通チャネルダウンリンク信号（１６２）を比較する工程と、
を備える請求項３記載の方法。
【請求項７】
アップリンク停止コマンド信号（１５２）を提供する前記工程が、
カウント信号（１４２）を提供するためにダウンリンクチャネルの同期はずれの可能性を示す前記信号（１３８）のインスタンスをカウントする工程と、
前記カウントスレッショルド信号を超える前記カウント信号が存在する場合に、前記アップリンク停止コマンド信号（１５２）を提供するために、前記カウント信号（１４２）をカウントスレッショルド信号（１４６、１４７）に比較する工程と、
を備える請求項３記載の方法。
【請求項８】
前記共通チャネル健全性信号（１５４）に応えて、前記カウントスレッショルド信号（１４６、１４７）を選択する工程をさらに備える請求項７記載の方法。
【請求項９】
ダウンリンクチャネルの同期はずれの可能性を示す信号を、基地局トランシーバ（ＢＳＴ）からのダウンリンク上で前記ＵＥによって受信されるパラメータ信号（１２６）に応えて提供する工程と、
ダウンリンクチャネルの考えられる不適切な機能を示す前記信号（１３８）に応えて、停止アップリンク信号（１５２）を提供する工程と、
を備える、移動電気通信システム内でユーザ装置（ＵＥ）が使用するための請求項１記載の方法。
【請求項１０】
前記ダウンリンクチャネル上での電力増強のためにＵＥからＢＳＴへのアップリンク電力制御コマンド信号（１２０）を、前記ダウンリンクチャネルの同期はずれの可能性を示す前記信号（１３８）に応えて提供する工程をさらに備える請求項９記載の方法。
【請求項１１】
ダウンリンクチャネルの同期はずれの可能性を示す信号（１３８）を提供する前記工程が、
それを示す大きさを有する検出された信号（１３２）を提供するために、ダウンリンクチャネルの前記同期はずれの可能性を示す大きさを有する前記パラメータ信号（１２６）を検出する工程と、
ダウンリンクチャネルの同期はずれの可能性を示す前記信号（１３８）を提供するために、選択されたスレッショルドを示す大きさを有するパラメータスレッショルド信号（１３４）に前記検出された信号（１３２）の前記大きさを比較する工程と、
を備える請求項９記載の方法。
【請求項１２】
共通チャネルダウンリンク健全性信号（１５４）を、その干渉の大きさ示す大きさを有する共通チャネルダウンリンク信号（１５８）に応えて提供する前記共通チャネル健全性信号に応えて、前記アップリンク停止信号が提供される請求項９記載の方法。
【請求項１３】
前記健全性信号（１５４）を提供する前記工程が、
検出された共通チャネルダウンリンク信号（１６２）を提供するために、前記共通チャネルダウンリンク信号（１５８）を検出する工程と、
前記共通チャネル健全性信号（１５４）を提供するために、前記検出された共通チャネルダウンリンク信号（１６２）をスレッショルド信号（１６６）に比較する工程と、
を備える請求項１２記載の方法。
【請求項１４】
停止アップリンクコマンド信号（１５２）を提供する前記工程が、
カウント信号（１４２）を提供するためにダウンリンクチャネルの同期はずれの可能性を示す前記信号（１３８）のインスタンスをカウントする工程と、
前記カウントスレッショルド信号を超える前記カウント信号が存在する場合に、前記アップリンク停止コマンド信号（１５２）を提供するために、前記カウント信号（１４２）をカウントスレッショルド信号（１４６、１４７）に比較する工程と、
を備える請求項９記載の方法。
【請求項１５】
前記共通チャネル健全性信号（１５４）に応えて、前記カウントスレッショルド信号（１４６、１４７）を選択する工程をさらに備える請求項１４記載の方法。
【請求項１６】
ダウンリンクチャネルの同期はずれの可能性を示す信号（１３８）を、基地局トランシーバ（ＢＳＴ）からのダウンリンク上で前記ＵＥによって受信されるパラメータ信号（１２６）に応えて提供するための手段と、
アップリンク停止コマンド信号（１５２）を、ダウンリンクの同期はずれの可能性を示す前記信号（１３８）に応えて、および共通チャネル内の干渉の有無を示す共通チャネル健全性信号（１５４）に応えて、提供するための手段（１３９）と、
を備える、移動電気通信システムで使用するための請求項２記載のユーザ装置（ＵＥ）。
【請求項１７】
前記ダウンリンクチャネルでの電力増強のためにＵＥからＢＳＴへアップリンク電力コマンド信号（１２０）を、前記ダウンリンクチャネルの同期はずれの可能性を示す前記信号（１３８）に応えて提供するための手段（１１８）をさらに備える請求項１６記載のＵＥ。
【請求項１８】
ダウンリンクチャネルの同期はずれの可能性を示す信号（１３８）を提供するための前記手段（１２８）が、
それを示す大きさを有する検出された信号（１３２）を提供するために、ダウンリンクチャネルの前記同期はずれの可能性を示す大きさを有する前記パラメータ信号（１２６）を検出するための手段と、
ダウンリンクチャネルの同期はずれの可能性を示す前記信号（１３８）を提供するために、選択されたスレッショルドを示す大きさを有するパラメータスレッショルド信号（１３４）に前記検出された信号（１３２）の前記大きさを比較するための手段（１３６）と、
を備える請求項１６記載のＵＥ。
【請求項１９】
共通チャネルダウンリンク健全性信号（１５４）を、その干渉の大きさを示す大きさを有する共通チャネルダウンリンク信号（１５８）に応えて提供するための手段（１５６）をさらに備える請求項１６記載のＵＥ。
【請求項２０】
前記健全性信号（１５４）を提供するための前記手段（１５６）が、
検出された共通チャネルダウンリンク信号（１６２）を提供するために前記共通チャネルダウンリンク信号（１５８）を検出するための手段（１６０）と、
前記共通チャネル健全性信号（１５４）を提供するために、スレッショルド信号（１６６）に前記検出された共通チャネルダウンリンク信号（１６２）を比較するための手段（１６４）と、
を備える請求項１９記載のＵＥ。
【請求項２１】
停止アップリンク共通信号（１５２）を提供するための前記手段（１３９）が、
カウント信号（１４２）を提供するために、ダウンリンクチャネルの同期はずれの可能性を示す前記信号（１３８）のインスタンスをカウントするための手段（１４０）と、
前記カウントスレッショルド信号を超える前記カウント信号が存在する場合に、前記停止アップリンクコマンド信号（１５２）を提供するために、前記カウント信号（１４２）をカウントスレッショルド信号（１４６、１４７）に比較するための手段（１４４）と、
を備える請求項１６記載のＵＥ。
【請求項２２】
前記共通チャネル健全性信号（１５４）に応えて、前記カウントスレッショルド信号（１４６、１４７）を選択するための手段（１５０、１５３ｂ）をさらに備える請求項２１記載のＵＥ。
【発明の詳細な説明】
【０００１】
［技術分野］
本発明は、移動電気通信に関係し、詳細にはダウンリンク専用チャネルでの同期はずれ状態を、そのチャネルにおける干渉と区別することが困難である可能性のあるＵＭＴＳの同期はずれ状態を処理する方法を定めることに関係する。
【０００２】
［背景技術］
現在、汎用移動電気通信システム（ＵＭＴＳ）の開発において、ユーザ装置（ＵＥ）が同期はずれ状態を、それが発生したときにどのように処理すると考えられているのかに関して何の手順も定められていない。ＵＭＴＳの同期モデルは、３ＧＰＰ技術仕様書（3GPP Technical Specification）TS 25.401v1.0.0（1999-04）「ＵＴＲＡＮ総合説明（UTRAN Overall Description）」の１９ページから２７ページに示されている。追加の詳細は、３ＧＰＰ技術仕様書TS 25.402v3.0.0（2000-01）「ＵＴＲＡＮ段階２の同期（Synchronization in UTRAN Stage 2）」、およびその中で相互参照されている他の文書に記載されている。
【０００３】
たとえば、ＩＳ−９５で適用された包括的な解決策は、巡回冗長符号（ＣＲＣ）検査結果に基づき考慮できるだろう。ＩＳ−９５解決策を用いる場合、時分割デュプレックス（ＴＤＤ）に特定な問題は考慮に入れられず、ＵＴＲＡＮ（ＵＭＴＳ地上無線アクセス網）ＴＤＤによるＤＴＸ（スピーカが話すのを停止すると出力電力を節約するセルラー電話の電池節約機能）構造は、ＩＳ−９５でのようにあらゆるフレームにＣＲＣ検査を提供しない。したがって、ＵＭＴＳについて同期はずれを処理する方法を定めるニーズがある。
干渉を克服するために電力制御を調整する方法が知られている。たとえば、「物理的無線チャネル電力制御の方法」と題されるトスカラらの発明（国際公開第９９／５３７０１号公報）参照。しかしながら、そのような方法は、同期はずれ状態の可能性を処理するためには用いられていなかった。また、そのトスカラ発明には、干渉を克服するために成功しなかった試みを停止する方法は開示されていない。ダーリンらの発明（米国特許第５、００８、９５３号明細書）もまた、可能性を有する同期はずれ状態を処理することに関連していないが、ダーリンは、接続の質がある時間以上あるレベルを下回るならば、通信リンクを切断することを開示している。しかしながら、このダーリンの方法は、より大規模な環境よりむしろ単一のダウンリンクのみを監視しており、したがって、ダーリンは汎用性のない所定時間を教えている。
【０００４】
［発明の開示］
本発明の目的は、ＵＭＴＳについて同期はずれ状態を処理する方法を定めることである。
【０００５】
発明の第１態様にしたがって、移動電気通信システム内のユーザ装置が使用するための方法は、フレームの同期はずれの可能性を経験しているが、同期はずれに到らない干渉状態である可能性を有するダウンリンクチャネルの該干渉状態を、送信電力の増強によって解消するために、ダウンリンク上の送信電力を制御する電力制御命令をアップリンクを介してユーザ装置から基地トランシーバ局に送信する工程と、
一斉送信チャネルが、選択されたレベル以下の干渉を経験していると判断されない場合は、前記干渉問題が解消されないとき、第１の選択された期間の後にアップリンクを停止し、選択されたレベル以下の干渉を経験していると判断される場合は、前記干渉問題を解消するべく、第２の選択された期間が経過するまで前記電力制御命令を送信し続け、その後にアップリンクを停止する工程とを含む。
【０００６】
発明の第２態様にしたがって、移動電気通信システム内のユーザ装置が使用するための方法は、各ＵＥ内で、基地局トランシーバからＵＥまでの無線ダウンリンクチャネルの各フレームの同期はずれ状態の可能性を示す大きさを有するパラメータを検出し、周期はずれの可能性を示す大きさを有する検出された信号を提供する工程と、
前記検出信号をスレッショルドと比較し、前記検出信号が前記スレッショルドを超える各フレームについて、フレーム同期はずれの可能性を示す信号を提供する工程と、
移動局からＢＳＴまでの無線アップリンク上で、前記フレーム同期はずれ信号に応えて、前記無線ダウンリンクでの電力増強のための電力制御コマンドを送信する工程と、
同期はずれの可能性のあるフレームの数を示すカウント信号を提供するために、フレーム同期はずれ信号のカウンタを、各フレーム同期はずれ信号に応えて増分する工程と、
前記カウント信号をカウントスレッショルド値と比較し、前記カウントスレッショルド値と等しいかまたは超える前記カウント信号が存在する場合に、アップリンク停止信号を提供する工程と、
を備える。
【０００７】
さらに発明の第２態様にしたがって、方法は、さらに、許容できるレベルの干渉を伴って機能しているダウンリンク一斉送信チャネルが存在する場合に前記アップリンク停止信号を提供することを遅延する工程と、
前記無線リンクでの電力増強のためにＵＥからＢＳＴまでの前記無線アップリンクで前記電力制御コマンドの送信を続ける工程と、
前記カウンタを前記増分する工程と、
前記選択された増加したカウントスレッショルドに等しいまたは超える前記カウント信号が存在する場合に、前記アップリンク停止信号を提供するために、前記カウント信号を、新たに選択された増加したカウントスレッショルドと比較する工程と、
をさらに備える。
【０００８】
発明の第３態様にしたがって、各セルが、複数の無線リンク上で同時にセル内の対応する複数の移動局と、および追加無線リンク上で、近傍ではあるが他のセル内の対応する追加ＵＥと通信するために基地局トランシーバ（ＢＳＴ）を有する、複数のセルを有する移動電気通信システム内で使用するための方法は、
ＢＳＴからＵＥまでの無線ダウンリンクチャネルの各フレームの同期はずれの可能性を示す大きさを有するパラメータを各ＵＥで検出し、同期はずれの可能性を示す大きさを有する検出信号を提供する工程と、
前記検出信号をスレッショルドと比較し、前記検出信号が前記スレッショルドを超える各フレームについて、フレーム同期はずれの可能性を示す信号を提供する工程と、
ダウンリンク一斉送信チャネルが適切に機能しているかどうかを判断し、一斉送信チャネル（ＢＣＣＨ）の健全性信号を提供する工程と、
前記ＢＣＣＨ健全性信号が不在の場合にアップリンク停止信号を提供する工程と、ＢＣＣＨ信号が存在する場合、
前記無線ダウンリンクでの電力増強のための電力制御コマンドを、前記ＢＣＣＨ健全性信号と前記フレーム同期はずれ信号の両方に応えて、ＵＥからＢＳＴへの無線アップリンクで送信する工程と、
同期はずれの可能性のあるフレームの数を示すカウント信号を提供するために、フレーム同期はずれ信号のカウンタを、各フレーム同期はずれ信号に応えて増分する工程と、
前記ＢＣＣＨ健全性信号が存在するか、不在なのかに関係なく、前記カウントスレッショルドに等しいかまたは超える前記カウント信号が存在する場合に前記アップリンク停止信号を提供するために、前記カウント信号をカウントスレッショルドに比較する工程とを備える。
【０００９】
本発明の第４態様にしたがって、移動電気通信システムで使用するためのユーザ装置は、フレームの同期はずれの可能性を経験しているが、同期はずれに到らない干渉状態である可能性を有するダウンリンクチャネルの該干渉状態を、送信電力の増強によって解消するために、ダウンリンク上の送信電力を制御する電力制御命令をアップリンクを介してユーザ装置から基地トランシーバ局に送信する手段と、
一斉送信チャネルが、選択されたレベル以下の干渉を経験していると判断されない場合は、前記干渉問題が解消されないとき、第１の選定された期間の後にアップリンクを停止し、
選択されたレベル以下の干渉を経験していると判断される場合は、前記干渉問題を解消するべく、第２の選択された期間が経過するまで前記電力制御命令を送信し続け、その後にアップリンクを停止する手段とを含む。
【００１０】
発明の第５態様にしたがって、移動電気通信システムで使用するためのユーザ装置は、同期はずれの可能性を示す大きさを有する検出信号を提供するために、ＵＥから基地局トランシーバ（ＢＳＴ）までの無線ダウンリンクチャネルの各フレームの同期はずれ状態の可能性を示す大きさを有するパラメータを各ＵＥで検出するための手段と、
前記検出信号をスレッショルドと比較し、前記検出信号が前記スレッショルドを超える各フレームについてフレーム同期はずれの可能性を示す信号を提供するための手段と、
前記無線ダウンリンク上での電力増加のために電力制御コマンド（ＴＰＣ）を、前記フレーム同期はずれ信号に応えて、ＵＥからＢＳＴまでの無線アップリンク上で送信するための手段と、
同期はずれの可能性を示すフレームの数を示すカウント信号を、それぞれのフレーム同期はずれ信号に応えて提供するための手段と、
前記カウント信号をカウントスレッショルドと比較し、前記カウントスレッショルドに等しいかまたは超える前記カウントが存在する場合に停止アップリンク信号を提供するための手段と、
を備える。
【００１１】
さらに発明の第５態様にしたがって、ユーザ装置は、さらに、許容できるレベルでの干渉と機能しているダウンリンク放送チャネルが存在する場合に前記アップリンク停止信号を前記提供することを遅延するための手段を備え、それにより前記無線ダウンリンクでの電力の増強についてＵＥからＢＳＴまでの前記無線アップリンクで前記知らせることが選択された期間続行される。
【００１２】
本発明の第６態様にしたがって、各セルが、複数の無線リンク上で同時にセル内の対応する複数の移動局と、および追加無線リンク上で近傍であるが他のセル内の対応する追加ＵＥと通信するために基地局トランシーバを有する、複数のセルを有する移動電気通信システムで使用するための装置は、それを示す大きさを有する検出された信号を提供するために、ＢＳＴからＵＥまでの無線専用ダウンリンクチャネルの各フレームの考えられる同期はずれ状態を示す大きさを有するパラメータを各ＵＥ内で検出するための手段と、前記検出された信号が前記スレッショルドを超える各フレームに考えられるフレーム同期はずれ信号を提供するために、前記検出された信号をスレッショルドに比較するための手段と、一斉送信チャネル健全性信号を提供するためにダウンリンク一斉送信チャネルが適切に機能しているかどうかを判断するための手段と、ＵＥからＢＳＴまでの無線リンク上で、前記ＢＣＣＨ健全性信号と前記同期はずれ信号の両方に応えて、前記無線ダウンリンクでの電力の増強に対する信号要求を知らせるための手段と、各フレーム同期はずれ信号に応えて、おそらく同期はずれのフレームの数を示すカウント信号を提供するために、考えられるフレーム同期はずれ信号のカウンタを増分するための手段と、前記ＢＣＣＨ健全性信号が不在の場合に前記第１カウントスレッショルドに等しいまたは超える前記カウント信号が存在する場合に、および前記第２カウントスレッショルドが前記第１カウントスレッショルドを上回る前記ＢＣＣＨ健全性信号が存在する場合に第２カウントスレッショルドに等しいまたは超える前記カウント信号が存在する場合に前記アップリンク停止信号を提供するために第１カウントスレッショルドに前記カウント信号を比較するための手段とを備える。
【００１３】
本発明のこれらのおよび他の目的、特徴および利点は、添付図面に描かれているように、その最良の実施形態の詳細な説明に鑑みてさらに明白になるだろう。
【００１４】
［発明を実施する最良の形態］
図１は、コアネットワーク（ＣＮ）１２、ＵＴＭＳ地上無線アクセス網（ＵＴＲＡＮ）１４、およびユーザ装置（ＵＥ）１６を含む、簡略化された汎用移動電気通信システム（ＵＭＴＳ）１０を示す。ＣＮ１２は、基準点としても見なされるＩｕ相互接続点によってＵＴＲＡＮ１４に接続される。ＵＴＲＡＮ１４は、同様に基準点と見なされるＵｕ相互接続点によってＵＥ１６に接続される。ＵｕインタフェースおよびＩｕインタフェース上のプロトコルは、２つの構造、つまりユーザ平面プロトコルと制御平面プロトコルに分割される。ユーザ平面プロトコルは、アクセス層を通してユーザデータを伝搬するための実際の無線アクセスベアラサーバを実現する。制御平面プロトコルは、無線アクセスベアラ、およびＵＥとネットワーク間の接続を（サービスの要求、さまざまな伝送リソースの制御、ハンドオーバ、および最適化等を含む）異なる態様で制御する。
【００１５】
図２に図示されるように、ＵＴＲＡＮは、Ｉｕを通してコアネットワーク１２に接続されている無線ネットワークサブシステム（ＲＮＳ）１８、２０の集合から成り立っている。ＲＮＳは無線網制御装置（ＲＮＣ）２２、２４および現在はノードＢ２６、２８、３０、３２と呼ばれている１つまたは複数の抽象的なエンティティから成り立っている。ノードＢは、Ｉｕｂインタフェースを通してＲＮＣに接続される。
【００１６】
ノードＢは、周波数分割デュプレックス（ＦＤＤ）モード、時分割デュプレックス（ＴＤＤ）モード、または二重モード動作をサポートできる。ＲＮＣは、ＵＥへのシグナリングを必要とするハンドオーバの決定を担当する。それは、異なるノードＢ間での多重性（macrodiversity）をサポートするために結合／分割機能を備える。ＵＴＲＡＮの内側では、無線網サブシステムのＲＮＣが、Ｉｕｒインタフェースを通してともに相互接続できる。図２の各ノードＢの一番下に、それぞれの対応するノードＢが担当する複数のセルが図示されている。ユーザ装置とＵＴＲＡＮ間の接続ごとに、１つのＲＮＳがサービス側ＲＮＳである。必要とされる場合、ドリフトＲＮＳは、図３に図示されるように、無線リソースを提供することによってサービス側ＲＮＳをサポートする。ロールオーバＲＮＳ（サービス側またはドリフト）は、やはり図３に図示されるように、ＵＥとＵＴＲＡＮのあいだの接続単位である。
【００１７】
ＵＴＲＡＮに関係する同期問題の中には、（ＦＤＤにとってのダウンリンクで、またはＴＤＤにとっての両方向でのどちらかで）無線フレーム伝送のタイミングに関係する無線インタフェース同期がある。ＦＤＤとＴＤＤは、無線フレーム伝送の正確なタイミングを決定するために異なる機構およびこのタイミングの精度に関する異なる要件を有する。ＦＤＤでは、ＵＥバッファを最小限に抑えるために、ＵＥが異なるセルから無線フレームを同期して受信することを保証する無線インタフェース同期が必要である。ＴＤＤでは、セル間の相互干渉を最小限に抑えるために、隣接するセル間で、およびＵＥ−セル間干渉を最小限に抑えるためにＵＥとＵＴＲＡＮのあいだ（タイミング前進）で無線フレームを同期させる無線インタフェース同期が必要である。後述される理由から、本発明は、実際にはＴＤＤモードに制限される。
【００１８】
前述されたように、ＵＥが同期はずれ状態を、それが発生したときにどのようにして処理するのかに関してＵＭＴＳのために定められた手順はない。ＴＤＭＡであるＴＤＤモードは、タイムスロット干渉を受けがちであり、タイムスロット内の頻繁な干渉の発生は、それが実際には当てはまらないのであるが同期はずれ状態として解釈されることがある。低品質のデータ受信のケースでは、それが干渉によるのか、それとも同期の喪失によるのかを区別することは困難である。
【００１９】
他方、何も受信されないケースでは、単にリンクを終了することを決定することはきわめて簡単である。しかし、考えられる（推定される）同期はずれ状態が、実際にはタイムスロット干渉のためである場合には、それが、実際に、同期はずれ状態ではなく、干渉であるのかどうかを突き止めるためにもう少し多くの時間と労力を費やすことが望ましい。しかしながら、環境が、干渉がありそうにないものであることがＵＴＲＡＮまたはＵＥですでに既知である場合に、人はこのような余分な作業に従事することは欲しないだろう。したがって、２つのケースが考えられ、ＵＥが指定される伝送を続行することを許されるフレーム数を指定するスレッショルドパラメータが設定できる。アップリンク総電力コマンド（ＴＰＣ）は、ケースとは無関係であり、１（電力投入コマンド）に設定されるだろう。そこで、いつ電力が指定されたスレッショルドを超えたか、また接続が取り去られるのかどうかを決定することはＵＴＲＡＮに任せられるだろう。
【００２０】
図１を参照し直すと、ＵＴＲＡＮとＵＥはともに無線チャネル（現在のセルと取り囲むセル）で測定を実行し、これらの測定値を無線チャネル品質推定値に変換することが理解されなければならない。このようにして、無線環境は、受信信号強度、推定ビット誤り率、伝搬環境の判断、伝送距離、ドップラシフト、同期状態、受信干渉レベル、セルあたりの総ダウンリンク伝送電力等を含む多様な測定によって調査される。これらの測定およびそれ以後の解析が有意義であるためには、測定と、それらが関係するチャネルのあいだのなんらかの関連付けが分析でなされなければならない。このような関連付けは、ネットワーク、最良の基地局、セル（基地局セクタ）、および／または無線チャネルに対する識別子の使用を含んでよい。これらの機能はＵＥおよびＵＴＲＡＮに配置される。
【００２１】
本発明によると、このような分析の結果、受信干渉レベルが、それが通常ＵＥで同期はずれ状態を引き起こすほど高い程度ではないと判断されると、ＵＥまたはＵＴＲＡＮで決定されるように、ある特定のＵＥまたはセルに「ケース１」が使用されると宣言されければならない。このケースでは、あるチャネルでの干渉が、同期はずれが起こりうるようなケースかどうかを判断するために必要とされる前述の余分な時間と労力は、ＵＥまたはＵＴＲＡＮで決定されるように考慮されないだろう。
【００２２】
たとえば、図４は、環境に応じて、セル内で使用される変数を確立するための、ＵＴＲＡＮ１４で実行される方法論を示す。工程２２に入った後、工程２４が実行され、ケース１がこの特定のセルに使用されるべきか否かを判断する。使用されるべきである場合には、それは、ＵＴＲＡＮが、無線環境調査から、その同期はずれ状態が任意のシステム間干渉またはＭＳ対ＭＳ干渉から生じない、あるいは生じないだろうことをＵＴＲＡＮが知っているケースでなければならない。そのケースでは、工程２６に図示されるように、１組の変数が、同じ選択された「Ｘ」値に等しくなるように確立され、さらに完全に後述されるように、「同期はずれ」基準は専用チャネルだけに基づいている。
【００２３】
ケース１がこのセルに使用されるべきではなく、したがって工程２８に図示されるように、変数は違うように設定されてから、共通チャネル受信レベルが、リンク予算（チャネル品質の余裕）が充分でなければならないことを示唆する場合に、ＭＳは、余分な労力をかけてさらに長い時間期間同期はずれ状態を補償しようとすることができる。それは、図６に関して後述されるだろう「Ｘ＋ｎ」の値で第２変数を確立することによってこれを実行する。
【００２４】
いずれにせよ、ケースに応じて、いったん変数が確立されると、このような変数は制御チャネルの一方のダウンリンクでＵＥに通信できる。他方、この機能または類似する機能がＵＥ内で実行される場合には、必ずしもＵＥとＵＴＲＡＮのあいだで変数を通信するニーズがないことが理解されなければならない。
【００２５】
それ以降、工程３０、３２によって示唆されるように、ＵＴＲＡＮはダウンリンクでの電力の増強を要求する既存のリンクがないか監視する。このようなリンクが検出されると、電力は増強される。検出されない場合、開始に戻ることができるか、あるいは工程３０、３２は無限に繰り返されるか、あるいは何らかの理由のために停止することができる。
【００２６】
図５は、ケース１についてＵＥで発生することがある対応する方法論を示すが、図６は、ケース２の扱いを除いて類似した方法論を示す。図５を参照すると、工程３６に入った後、ＵＥは、同期はずれの可能性のある状態で検出されるフレームをカウントするために使用されるフレームカウンタをゼロにする。それから、注目しているダウンリンクチャネルで同期はずれ状態があるかどうかを検出するために、工程４０が実行される。工程４２で決定されるように、考えられる同期はずれ状態がダウンリンクで検出されると、ＴＰＣコマンドが、工程４４で示されるように、アップリンク上でＵＴＲＡＮに送信され、ダウンリンクでの電力の増強を要求する。それから、フレームカウンタは、考えられる同期はずれ状態（の数）だけそのフレームについて増分される。それから、フレームカウンタのカウントは、ケース１について図１のＵＴＲＡＮ１４によって設定される可変値（Ｘ）と比較される。変数（カウント数）が設定値（Ｘ）未満である場合、工程４０から４８が、Ｘが超えられるか、あるいはダウンリンクが同期はずれ状態にはないと判断されるかのどちらかまで繰り返される。後者のケースでは、工程５０で示されるように、フレームカウンタをゼロにし、工程５２で（開始に）戻ることができる。他方、フレームカウンタが、Ｘに等しい値までカウントアップすると、ＵＥは、工程５４に示されるように、工程５２で戻る前に、アップリンクをオフにする。図５に説明される前記ケース１の状況においては、ＵＴＲＡＮまたはＵＥは、無線環境が、専用ダウンリンクチャネル上の受信干渉レベルによって同期はずれ状態が引き起こされそうではないと過去に判断していた。その結果、フレームカウンタに突き合わせて第１変数をチェックするニーズだけがあり、第１変数と第２変数は同じ値に設定されるため、第２変数に突き合わせてチェックする必要はなかった。
【００２７】
ここで図６を参照すると、ＵＥの第２ケースが図解される。工程５６で開始に入った後、ＵＥは、工程５８に示されるように、考えられる同期はずれ状態のあいだに発生するフレーム数を追跡調査するために使用されたフレームカウンタをゼロにする。それから、工程６０が実行され、ＵＥに、注目している専用ダウンリンクチャネルで考えられる同期はずれ状態がないか検出させる。それから、工程６２で、注目するダウンリンクチャネルが「同期はずれ」である可能性があるかどうかに関する判断が下される。同期はずれではない場合、ＵＥは工程６６で戻る。他方、同期はずれ状態が注目するダウンリンクチャネルで存在すると考えられる場合、ＵＥは、工程６８に示されるように、ＵＴＲＡＮへのアップリンクでＴＰＣコマンドを送信する。それから、フレームカウンタは、工程７０で示されるようにＵＥで増分され、工程７２で第１変数「Ｘ」の値と比較される。フレームカウンタのカウントがＸ未満である場合には、フレームカウンタがＸに等しくなるか、あるいは同期はずれ状態の可能性が否定されるかのどちらかまで、以下同様に工程６０が再び繰り返される。
【００２８】
フレームカウンタのカウントが最終的にＸの値に到達した場合、ダウンリンク上のＵＴＲＡＮから電力レベルの増加を続けて要求するためのＴＰＣコマンド工程７４が続行するのを許すために、ビーコンまたは一斉送信チャネルが干渉にさらされないことを前提に、前述された工程の反復が、さらに長い時間期間反復できるように実行される。工程７５では、一斉送信チャネルの品質に関して決定が下される。このようにして、増強した電力が、同期が存在してはいるが受信を困難にしているケースでチャネル内の干渉を最終的に克服することができる。このようにして、第２変数の値が「Ｘ＋ｎ」に等しく設定され、工程６０は以下同様に、フレームカウンタのカウントが変数「Ｘ＋ｎ」に等しくなるか、あるいは電力の増強が低品質の受信問題を克服するまで何度も繰り返され、工程６２は、フレームカウンタ６４（図示されていない）をゼロにして内側ループから脱出させ、工程６６で戻される。他方、ダウンリンクでの電力増強の期間が引き延ばされたにもかかわらず、最終的にフレームカウンタが変数「Ｘ＋ｎ」に等しくなった場合、工程７６が、アップリンクをオフにし、戻るように実行される。同様に、このより長い時間期間中ＢＣＣＨが健全ではない場合は、アップリンクは、示されるように即座に、またはそれ以降のなんらかの選択された期間に終了されてよい。
【００２９】
本発明によれば、この問題に取り組む多くの方法があり、２つの変数をセットアップしたり、あるいは前述されたようにさらに長い時間期間中だけにビーコンまたは共通したチャネルをチェックすることは必ずしも必要とされないことが理解されなければならない。たとえば、図７と図８に図示されるように、代替実施形態は、後述されるように、単一の変数だけを確立できるだろう。最初に、ＵＴＲＡＮで実行されてよい図７を参照すると、工程７８で開始された後に、変数が確立され、値は「Ｘ＋ｎ」に設定され、「Ｘ」はデフォルト値であり、ケース１については「ｎ＝０」である。ケース２については、ｎは指定されたなんらかの有限値を有する。工程８２に示されるように、工程８４で「ｎ」の値を選択する前に、セル干渉環境が決定される。工程８６では、デフォルトの「Ｘ」値だけではなく、「ｎ」の値が、セル内のＵＥとともに、要すれば隣接するセル内の近傍ＵＥにも通信される。それから、工程８８が実行され、現在、ダウンリンク上で電力の増強を要求している（アップリンク上のＴＰＣ）ＵＴＲＡＮとＵＥのあいだで現在確立されている呼（コール）があるかどうかを判断する。ない場合には、工程９０で開始に戻される。ある場合には、電力は、工程８２を以下同様に再実行する前に、工程９２で示されるように増強される。前述されたように、工程８０から８４は、たとえば、受信ビーコンをスレッショルドと比較し、それが適切な「健康」状態にあるかどうかを判断することにより、ＵＴＲＡＮ内で中心的に実行する代わりに各ＵＥで実行してもよい。
【００３０】
ここで図８を参照すると、ＵＥは工程９４で開始し、工程９６で、起こり得る「同期はずれ」状態が存在するフレームの数を追跡調査するフレームカウンタをゼロにする。フレームカウンタをゼロにした後、ＵＥは、干渉または同期はずれ状態のどちらかのために困難を有するダウンリンクの専用チャネル上で「同期はずれ」状態がないかを検出する工程１００が実行される。それから、工程１０２は、考えられる「同期はずれ」状態が存在するかどうかを判断するために実行される。存在しない場合、工程９６、１００、１０２が再実行される。あるいは、工程９６、１００、１０２を再実行する代わりに、開始に戻ることができるだろう。工程１０２が、ダウンリンクの専用チャネルに考えられる「同期はずれ」状態が存在すると判断する場合、ＵＥがダウンリンク上のさらに多くの電力に対する要求をＵＴＲＡＮに送信する工程１０６が実行される。それから、ＵＥは、工程１０８に示されるように、フレームカウンタのカウントを増加する。それから、フレームカウンタのカウントは、工程１１０でＵＴＲＡＮによって（あるいは独立して行われる場合にはＵＥによって）決められる変数の値（Ｘ＋ｎ）と比較される。（ｘ＋ｎ）未満ではない場合、ＵＥは、工程１１２に示されるようにアップリンクを停止し、工程１１４で開始に戻る。他方、フレームカウンタのカウントが依然としてＸ＋ｎ未満である場合、工程１１６は、コールが依然として確立されているかどうかを判断するために実行され、確立されている場合には工程１００が再び実行され、工程１０２が後に続く。感知された同期はずれ状況が依然として存在すると仮定すると、さらに多くの電力が工程１０８で再び要求され、変数「N_out_sync_frames」の値Ｘ＋ｎと再び比較される。前述されたように、図７の工程８０から８４が各ＵＥで独立して実行される場合、ビーコンチャネルの健全性をチェックし、変数ｘまたはｎ、あるいは両方を相応してＵＥに設定するために図８の追加の工程が必要となるだろう。
【００３１】
いずれにせよ、着実に増加する電力により、最終的に、考えられる「同期はずれ」状態は存在しなくなり、その後工程１０２は、工程９６でフレームカウンタをゼロにするか、あるいは（図解されている方法論の代替策として）戻るかのどちらかによってループを終了させるだろう。あるいは、フレームカウンタが、増強した電力が問題を解決しなかったために最終的に値Ｘ＋ｎに等しくなり、実質的に同期はずれ状態があると結論付けるだろう。
【００３２】
図９は、アップリンクＵＬおよびダウンリンクＤＬ上でＵＴＲＡＮ１４と通信しているユーザ装置１６を示す。ダウンリンクは、起こり得る同期はずれ状態または単なる干渉を経験している可能性のある専用チャネルを含んでよい。追加情報なしに、あるいは追加工程を講じずに前記の２つの状態を区別することは困難である可能性がある。
【００３３】
ＵＥ１６は、たとえば、その結果、ＵＴＲＡＮ１４への無線リンク上で電力制御信号を通信するアンテナ１２４に、電力制御信号を提供する入出力（Ｉ／Ｏ）手段１２２に対する線路１２０上で絶えず電力制御シグナリングを送信している手段１１８を含んでよい。この電力制御シグナリング機能は、ＵＴＲＡＮとの継続的な通信でのように、発明以外の目的に使用することができる。それにも関わらず、それは、ケースバイケースでコマンドを知らせるための手段としても実現できる。いずれにせよ、ＵＥ１６は、たとえば、アップリンク上でＵＴＲＡＮ１４に、線路１２０上で総電力制御（ＴＰＣ）信号を使用してさらに多くの電力が必要とされることを知らせることによって、電力制御コマンドを送信するために実現される手段１１８を含んでよい。このＴＰＣ信号は、その結果、無線アップリンク上でＴＰＣ信号をＵＴＲＡＮ１４に通信するアンテナ１２４にＴＰＣ信号を与えるＩ／Ｏ手段１２２に提供できる。アンテナ１２４は、ＵＴＲＡＮ１４からダウンリンク（ＤＬ）での専用チャネルも受信し、その結果、それを、線路１２６上のパラメータ信号をダウンリンクチャネルが適切に機能していることを判断するための手段１２８に提供するＩ／Ｏ手段１２２に提供する。手段１２８は、パラメータ信号１２６を感知するため、およびダウンリンク上の専用チャネル内での干渉のレベルを示す大きさを有する検出された信号を線路１３２で提供するための手段１３０を含んでよい。線路１３２上で検出された信号は、２つの信号を比較するための手段１３６で線路１３４上のパラメータスレッショルド信号の大きさと比較される。線路１３２の検出信号の大きさが線路１３４上で選択されたパラメータスレッショルドレベルの大きさを超える場合、比較するための手段１３６が、たとえば前述されたＴＰＣなどの電力制御コマンドを送信するための手段１１８に、線路１３８上で同期はずれの可能性を示す信号を提供する。線路１３８上の信号に応えて、電力制御コマンドを送信するための手段１１８は、ＵＴＲＡＮ１４へのアップリンク上での伝送のために、Ｉ／Ｏ手段１２２を通してＴＰＣ信号を提供する。電力増強機構が、ＵＴＲＡＮ内に存在しなくてよい、あるいはＵＴＲＡＮで実行されてよいことが理解されなければならない。
【００３４】
手段１１８が実施形態でどのようにして活用されるのか、あるいは活用されるかどうかにも関係なく、線路１３８上の信号は、アップリンク停止コマンド信号を提供するための手段１３９にも提供される。手段１３９は、線路１３８上の信号によって示される、考えられる同期はずれ信号フレームの数をカウントするための手段１４０を含み、ビーコンの健全性に応じて、線路１３８上の同期信号表示第１選択期間または第２選択期間のどちらかより長く持続して観察するために提供される。手段１４０は、カウント信号を、線路１４６上の第１選択カウントスレッショルド信号と、あるいは線路１４７上の第２選択カウントスレッショルド信号と比較するための手段１４４に、線路１４２上でカウント信号を提供する。カウントが選択されたカウントスレッショルドを超えると、アップリンク停止信号が作成され、線路１５２上のアップリンク停止コマンド信号を、アップリンク上での無線伝送を停止するための手段１５３に提供するための手段１５０を制御するために、線路１４８上あるいは線路１４９上で提供される。線路１５２上の停止アップリンクコマンド信号に応えて、アップリンクを停止するための手段１５３は、アップリンクを停止させるために、ＵＥ内で適切な処置を講じるだろう。
【００３５】
本発明によれば、制御手段１５０は、線路１４６上で第１カウントスレッショルド信号を、あるいは線路１４７で第２カウントスレッショルド信号を提供するスレッショルド選択デバイス１５３ｂに、線路１５３ａ上の選択信号を提供する。線路１５３ａ上の選択信号は、結果的に線路１５４上の健全性信号に依存する線路１５３ａ上の選択信号に応じてスレッショルド信号１４６、１４７の一方または他方を選択する。前述されたように、同期はずれ表示は誤ってている可能性があり、実際の状態は単に専用ダウンリンクチャネルでの高レベルの干渉にすぎないかもしれないため、アップリンクの停止を遅延することが望ましい場合がある。このような状態は、継続するＴＰＣまたは線路１２０上の他の電力制御コマンド要求に応えて、ダウンリンク上のＵＴＲＡＮからの出力電力を増強することにより解決されてよい。ＴＰＣなどの継続する電力制御コマンドに応えて、ＵＴＲＡＮは、電力出力を着実に増強する。このようにして、正当化される場合、少し多い時間を獲得するために、共通ダウンリンクチャネルが干渉を経験しているかどうかを判断することができる。経験していない場合、線路１４６上で示されるような第１スレッショルドが使用され、そのスレッショルドに達すると、アップリンク停止コマンドが直ちに送信される。しかしながら、共通チャネルも干渉を経験している場合、制御手段１５０は、スレッショルド選択デバイス１５３ｂに、線路１４７上の第２カウントスレッショルド信号を、線路１４２上のカウント信号との比較のための手段１４４に提供させるように、線路１５３ａ上に選択信号を提供する。その場合、少し多い時間が獲得され、線路１４８上で直ちに停止信号を送信する代わりに、カウントスレッショルドが、選択された量だけ増加され、線路１４９上のアップリンク停止信号は、ＵＴＲＡＮからの電力増強が考えられる同期はずれ状態を克服できるようにするために、もう少し長い間送信されない。
【００３６】
共通チャネル信号を提供する１つの方法は、ＢＣＣＨが適切に機能しているかどうか判断するため、つまり、それが高い程度の干渉を経験しているか否かを判断するための手段１５６に線路１５８上のＢＣＣＨチャネルを提供することである。線路１５８上でＢＣＣＨ信号内の干渉を検出し、それを示す線路１６２上の検出されたＢＣＣＨ信号を提供するための手段１６０が提供できる。線路１６２上の検出されたＢＣＣＨ信号は、検出されたＢＣＣＨ信号を線路１６６上のＢＣＣＨまたはビーコンスレッショルド信号と比較するための手段１６４に提供できる。このスレッショルド信号は、同期はずれ状態の可能性のあるダウンリンク上の他のチャネルでの干渉のレベルを示すＢＣＣＨ信号の干渉レベルを表すように選択される。線路１６２上の検出されたＢＣＣＨ信号が、線路１６６上のＢＣＣＨスレッショルド信号を超えると、線路１５４上のＢＣＣＨ健全性信号は、線路１４７上の第２カウントスレッショルド信号を採用させることによって、制御手段１５０に、線路１５２上のアップリンク停止コマンド信号を遅延させるレベルで制御手段１５０に提供されるだろう。線路１５４上のＢＣＣＨ健全性信号のレベルがアップリンク停止コマンドが遅延できるほどである場合、線路１５３ａ上のスレッショルド選択信号は、スレッショルド選択デバイス１５３ｂに、線路１４６上の第１カウントスレッショルド信号より高い値にある線路１４７上の第２カウントスレッショルド信号を提供するように知らせる。言い換えると、前述の説明に準じれば、線路１４６上の第１カウントスレッショルドは、可変値「Ｘ」に対応し、線路１４７上の信号の第２カウントスレッショルド変数は「Ｘ＋ｎ」に対応する。後者の場合、線路１４２上のカウント信号は、スレッショルドに到達し、線路１５２上のアップリンク停止コマンド信号を、アップリンクを停止するための手段１５３に提供するための制御手段１５０に線路１４９上の第２アップリンク停止コマンド信号を制御手段１５０に提供するために、手段１４４をトリガするに到るまで、さらに高い値まで上昇できる。線路１４８、１４９上の第１および第２アップリンク停止信号に関して制御手段１５０によって実行される制御機能は、線路１４８、１４９上の信号がＯＲゲートに対する入力であって、線路１５２上の信号がＯＲゲートの出力であるＯＲゲート機能以上の何者でもない。
【００３７】
ＵＥ１６が、本発明の目的を実行するために多くの異なった方法で編成できることが理解されなければならない。たとえば、図９の開示は、ＴＰＣ信号を使用してアップリンクでの電力増強を要求するＵＥを示しているが、ＵＥが、ＵＴＲＡＮに信号を送る方法だけでなく、電力を増強するそれ以外の方法があるため、それは発明の本質的な部分ではない。前述されたように、電力制御シグナリングのための手段１１８は、電力制御信号を通信する目的でＵＴＲＡＮと継続的に通信している手段である場合がある。その場合、比較のための手段１３６からの線路１３８上の信号は、線路１２０上での電力制御信号のストリームでの変化をトリガするにすぎないだろう。前記説明がＢＣＣＨの監視を説明しているが、ビーコン機能性を提供する共通チャネルであればどれでも測定できるだろうことも理解されなければならない。
【００３８】
図９に関連して前述された機能の大部分は、ＵＥのレイヤ１で有利に実行される。たとえば、図１０に図示されるように、層１は、指定されていないさらに高い層が破線１６２の右側にあるブロック１６０として図示されている。２つのプリミティブが、線路１６４、１６６の組を介してさらに上位のレイヤに提供されることが示されている。第１のプリミティブは、同期はずれプリミティブの事例をカウントするためにカウンタ１６８に提供される線路１６４上のＣＰＨＹ  Ｏｕｔ−Ｏｆ−Ｓｙｎｃ−ＩＮＤプリミティブである。これらの事例は、前述された基準にしたがって報告される。これらは、線路１６４上の同期はずれプリミティブが、たとえば、一覧表示される基準の３つのすべてが達成されると報告されることを示す、図１０に図示されるような方法で構成されてもよい。線路１６４上の同期はずれレポートの一定数のこのような事例がカウンタ１６８でカウントされると、タイマ１６９が線路１７０に示されるように起動される。このタイマは、選択されたタイムアウト期間の後に期限切れとなり、その後ＵＥは無線リンクが失敗したと見なし、そのケースでは、図９の線路１５２上のアップリンク停止コマンド信号が採用され、アップリンクは、アップリンクを停止するための手段１５３によって停止される。しかしながら、カウンタ１７１が選択された数のＣＰＨＹ−ＳＹＮＣ−ＩＮＤ（ＩＮ−ＳＹＮＣ）プリミティブ事例を線路１６６上でカウントすると、信号が線路１７２で提供され、タイマを停止する。線路１６６上のイン同期（同期に成功した）プリミティブの事例は、図１０に説明される２つの状態のどちらかが発生すると報告される。このようにして、タイマ１６９が起動されるのと同時に、カウンタ１７１はイン同期インスタンスのカウントを開始するために起動され、一定数の連続イン同期プリミティブがタイマのタイムアウト期間内に報告されると、タイマは停止され、無線リンク失敗が信号で知らされず、アップリンクの停止が回避されるだろう。
【００３９】
その結果、前述された方法を含むがそれらに制限されない本発明を実行するための多数の方法があることが理解されるだろうし、したがって、発明はその最良の形態の実施形態に関して図示され、説明されてきたが、形式およびその詳細における前記および多様な他の変更、省略および追加が、発明の精神および範囲を逸脱することなくそこに加えられてよいことが当業者によって理解されるべきである。
【図面の簡単な説明】
【図１】  従来の技術から簡略化されたＵＭＴＳアーキテクチャを示す。
【図２】  従来の技術から簡略化されたＵＴＲＡＮアーキテクチャを示す。
【図３】  従来の技術から、サービス側ＲＳＳおよびドリフトＲＳＳを示す。
【図４】  本発明にしたがって、ＵＴＲＡＮで実行されてよいルーチンを示す。
【図５】  図１のＵＴＲＡＮによって選択されるケース１シナリオにしたがって、ユーザ装置で実行できる２つのケースの第１を示す。
【図６】  図１のＵＴＲＡＮによって選択されるケース２にしたがって、ＵＥで実行されてよい一連の工程を示す。
【図７】  発明の第２態様にしたがってＵＴＲＡＮで実行されてよいルーチンを示す。
【図８】  本発明の第２態様にしたがって、ユーザ装置で実行されてよいルーチンを示す。
【図９】  本発明によるユーザ装置を示す。
【図１０】  ＵＥの第１層およびさらに高い層で実行される本発明を示す。
【図１】
0003894794.tif 000002
【図２】
0003894794.tif 000003
【図３】
0003894794.tif 000004
【図４】
0003894794.tif 000005
【図５】
0003894794.tif 000006
【図６】
0003894794.tif 000007
【図７】
0003894794.tif 000008
【図８】
0003894794.tif 000009
【図９】
0003894794.tif 000010
【図１０】
0003894794.tif 000011